(57)【要約】【課題】管状体に巻き回して固定できると共に、身障者や老人の場合であっても、容易に解束作業を行うことができる結束具を提供することを目的とする。【解決手段】帯状の結束具本体１１の一端には管状体Ｐに巻き回しできる環状保持部２０を設けているので、一端部を管状体Ｐに係止できると共に、他端には環状に形成された指挿入環３０を設けているので、身障者や老人が使用する場合であっても、前記指挿入環３０に指を挿入して引っ張ることにより、容易に解束作業を行うことができるように構成した。【選択図】    図１
0003122067.tif 000002
【実用新案登録請求の範囲】
【請求項１】
帯状の結束具本体の一端には管状体に巻き回しできる環状保持部を設け、他端には環状に形成された指挿入環を設けてなることを特徴とする結束具。
【請求項２】
前記環状保持部は、前記結束具本体の一端寄りに固定した第一着脱片と前記結束具の一端を延長して形成した第二着脱片とを備え、前記第一着脱片と前記第二着脱片とを係脱自在として形成してなることを特徴とする請求項１に記載の結束具。
【請求項３】
前記環状保持部は、面ファスナ雄材および雌材にて係脱自在に形成されてなることを特徴とする請求項１又は２に記載の結束具。
【請求項４】
前記指挿入環は、他の部分と識別可能な識別要素が付されてなることを特徴とする請求項１乃至３の何れかに記載の結束具。
【請求項５】
前記第一着脱片又は／及び前記第二着脱片は、他の部分と識別可能な識別要素が付されてなることを特徴とする請求項２乃至４の何れかに記載の結束具。
【考案の詳細な説明】
【技術分野】
【０００１】
本考案は、物品を結束するため使用する結束具に関し、より詳細には、例えば車椅子を折り畳む場合に、折り畳み状態から開放状態に復帰しないように、一端をパイプに巻き回し、他端を結束具本体に止着して使用する結束具に関する。
【背景技術】
【０００２】
従来、物品を結束するため使用する結束具としては、例えば、実開平６−３５１６２号に記載の結束具が公知である。
【０００３】
前記結束具は、結束具を繰り返し使用できるようにすると共に、係着テープの離脱を自動化して解束するため、ベルト状に形成される結束具本体の両端部に接合離脱自在な一対のテープから成る係着テープをそれぞれを取り付け、前記結束具で結束した後に前記係着テープの接合を外すことによって、前記結束具本体を切断する必要なく解束することができるように形成し、また前記係着テープを接合した結束状態から前記係着テープを離脱させるように引っ張るための解束具に結合自在な離脱具を前記結束具本体の一方の端部に設けて、前記離脱具を解束具で引っ張ることで前記係着テープの係合を外して、人手を要することなく前記結束具を解束できるように形成されている。
【０００４】
【特許文献１】実開平６−３５１６２号公報
【考案の開示】
【考案が解決しようとする課題】
【０００５】
しかしながら、前記の如き結束具では、その構造上、一端を管状体に巻き回して係止することはできず、また、解束する場合においても、所定の解束具を使用する必要がある。特に、使用者が身障者や老人の場合に解束する場合には解束作業に困難性が伴う。
【０００６】
本考案は、かかる事情に鑑みてなされたものであって、帯状の結束具本体の一端には管状体に巻き回しできる環状保持部を設けて、一端部を管状体に係止できる構造とするとともに、他端には環状に形成された指挿入環を設けて、身障者や老人の場合であっても、容易に解束作業を行うことができる結束具を提供することを目的とする。
【課題を解決するための手段】
【０００７】
請求項１に記載の結束具は、帯状の結束具本体の一端には管状体に巻き回しできる環状保持部を設け、他端には環状に形成された指挿入環を設けてなることを特徴とする。
【０００８】
請求項１に記載の結束具にあっては、帯状の結束具本体の一端には管状体に巻き回しできる環状保持部を設けているので、一端部を管状体に係止できると共に、他端には環状に形成された指挿入環を設けているので、身障者や老人が使用する場合であっても、指挿入環に指を挿入して引っ張ることにより、容易に解束作業を行うことができる。
【０００９】
請求項２に記載の結束具は、請求項１に記載の結束具において、前記環状保持部は、前記結束具本体の一端寄りに固定した第一着脱片と前記結束具の一端を延長して形成した第二着脱片とを備え、前記第一着脱片と前記第二着脱片とを係脱自在として形成してなることを特徴とする。
【００１０】
請求項２に記載の結束具にあっては、前記環状保持部を、前記結束具本体の一端寄りに固定した第一着脱片と前記結束具の一端を延長して形成した第二着脱片とから形成し、前記第一着脱片と前記第二着脱片とを係脱自在としているので、前記結束帯を管状体に係止する場合には、第一着脱片と第二着脱片とを管状体に巻き回して第一着脱片と第二着脱片とを係止することにより、前記結束具を前記管状体に係止することができ、簡単な構造で製造できると共に、係止作業を容易に行うことができる。
【００１１】
請求項３に記載の結束具は、請求項１又は２に記載の結束具において、前記環状保持部は、面ファスナ雄材および雌材にて係脱自在に形成されてなることを特徴とする。
【００１２】
請求項３に記載の結束具にあっては、前記環状保持部を面ファスナ雄材および雌材によって、係脱自在となるように形成されているので、簡単な構造で製造できると共に、係止作業を容易に行うことができる。
【００１３】
請求項４に記載の結束具は、請求項１乃至３の何れかに記載の結束具において、前記指挿入環は、他の部分と識別可能な識別要素が付されてなることを特徴とする。
【００１４】
請求項４に記載の結束具にあっては、前記指挿入環は、他の部分と識別可能な識別要素が付されているので、身障者や老人が使用する場合であっても、前記指挿入環の位置を直ぐに把握でき、容易に指を挿入することができ、容易に解束作業を行うことができる。
【００１５】
請求項５に記載の結束具は、請求項２乃至４の何れかに記載の結束具において、前記第一着脱片又は／及び前記第二着脱片は、他の部分と識別可能な識別要素が付されてなることを特徴とする。
【００１６】
請求項５に記載の結束具にあっては、前記第一着脱片又は／及び前記第二着脱片は、他の部分と識別可能な識別要素が付されているので、身障者や老人が使用する場合であっても、前記第一着脱片又は／及び前記第二着脱片の位置を直ぐに把握でき、容易に結束作業および解束作業を行うことができる。
【考案の効果】
【００１７】
請求項１に記載の考案に依れば、帯状の結束具本体の一端には管状体に巻き回しできる環状保持部を設けているので、一端部を管状体に係止できると共に、他端には環状に形成された指挿入環を設けているので、身障者や老人が使用する場合であっても、指挿入環に指を挿入して引っ張ることにより、容易に解束作業を行うことができる。
【００１８】
請求項２に記載の考案に依れば、請求項１に記載の結束具に加えて、前記環状保持部を、前記結束具本体の一端寄りに固定した第一着脱片と前記結束具の一端を延長して形成した第二着脱片とから形成し、前記第一着脱片と前記第二着脱片とを係脱自在としているので、前記結束帯を管状体に係止する場合には、第一着脱片と第二着脱片とを管状体に巻き回して第一着脱片と第二着脱片とを係止することにより、前記結束具を前記管状体に係止することができ、簡単な構造で製造できると共に、係止作業を容易に行うことができる。
【００１９】
請求項３に記載の考案に依れば、請求項１又は２に記載の結束具に加えて、前記環状保持部を面ファスナ雄材および雌材によって、係脱自在となるように形成されているので、簡単な構造で製造できると共に、係止作業を容易に行うことができる。
【００２０】
請求項４に記載の考案に依れば、請求項１乃至３の何れかに記載の結束具に加えて、前記指挿入環は、他の部分と識別可能な識別要素が付されているので、身障者や老人が使用する場合であっても、前記指挿入環の位置を直ぐに把握でき、容易に指を挿入することができ、容易に解束作業を行うことができる。
【００２１】
請求項５に記載の考案に依れば、請求項２乃至４の何れかに記載の結束具に加えて、前記第一着脱片又は／及び前記第二着脱片は、他の部分と識別可能な識別要素が付されているので、身障者や老人が使用する場合であっても、前記第一着脱片又は／及び前記第二着脱片の位置を直ぐに把握でき、容易に結束作業および解束作業を行うことができる。
【考案を実施するための最良の形態】
【００２２】
以下、本考案を実施するための最良の形態を、図面に基づいて具体的に説明する。
【００２３】
図１は本実施の形態に係る結束具を示す斜視図であり、図２（ａ）は結束具の裏面図であり、（ｂ）は同側面図、（ｃ）は表面図である。
【００２４】
図１および図２において１０は結束具であり、該結束具１０は、帯状の合成樹脂製のシート材から形成された結束具本体１１と、該結束具本体１１の一端に形成された環状の指挿入部３０と、前記結束具本体１１の他端に形成された環状保持部２０とから形成されている。図３は面ファスナを示す拡大断面図であり、（ａ）は面ファスナの雄部材を示し、（ｂ）は面ファスナの雌部材を示しており、本実施の態様では、前記結束具１０の結束及び解除又は前記環状保持部２０の管状体Ｐ（図４乃至図６参照）への係止及び解除を、この面ファスナＭの雄部材Ｍ１と雌部材Ｍ２との係脱により行わせている。
【００２５】
図１乃至図３に示すように、前記結束具本体１１は、表面側１１ａに面ファスナＭの雄部材Ｍ１を植設している。一方、前記指挿入部３０は、前記結束具本体１１と同幅からなる帯状の合成樹脂製のシート材から形成しており、表面側３０ａに面ファスナＭの雌部材Ｍ２を植設して、環状となるように前記結束具本体１１の一端に熱溶着している。図中ＨＭはホットメルト層である。なお、前記熱溶着に代えて縫製その他の固定手段を用いてもよい。
【００２６】
前記環状保持部２０は、前記結束具本体１１ａの他端側寄りに前記結束具本体１１と同幅からなる帯状の合成樹脂製のシート材から形成した第一着脱片２１と、前記結束具本体１１ａの他端部から延長される第二着脱片２２とから形成している。前記第一着脱片２１は、表面２１ａに面ファスナＭの雌部材Ｍ２を植設しているので、前記第二着脱片２２の表面側２２ａ（前記結束具本体１１ａの他端部から延長された部分）に植設された面ファスナＭの雄部材Ｍ１と係合可能であって、係合することによって前記管状体Ｐに掛け回すことができるのである。
【００２７】
本実施の態様においては、前記結束具本体１１を黒色のシート材から形成し、一方、前記指挿入部３０と前記第一着脱片２１とを黄色のシート材から形成することにより、前記指挿入部３０と前記第一着脱片２１とを把握し易いように、識別性を高めている。なお、着色する色彩は、前記の場合に限らず、前記結束具本体１１と前記指挿入部３０又は前記第一着脱片２１の識別が容易に行えるのであれば、何色であってもよい。また、識別の為に、前記第一着脱片２１と共に、又は前記第一着脱片２１に代えて、前記第二着脱片２２に着色をしてもよい。
【００２８】
以上のように構成された前記結束具１０を使用する場合は、例えば、図４乃至図６に示すように結束するのである。
【００２９】
図４は結束具の取付時の断面図であり、図５は結束具の取付状態の断面図であり、図６は結束具を車椅子のアームレストに係止した状態の斜視図である。
【００３０】
図４乃至図６において、図中Ｐは車椅子Ｋのアームレストである。図６に示すように、前記車椅子Ｋを、折り畳み状態を維持するために前記結束具１０によって前記アームレストＰ，Ｐを結束するには、先ず、図４に示すように、前記第一着脱片２１を前記第二着脱片２２から解除して、前記前記第一着脱片２１と前記第二着脱片２２とで、一方のアームレストＰに巻き付けて前記第一着脱片２１の表面２１ａを、前記前記第二着脱片２２の表面側２２ａに重ね合わせて、前記面ファスナＭの雄部材Ｍ１と雌部材Ｍ２との係合によって、前記結束具１０の一端を前記一方のアームレストＰに固定する。次に、前記結束具本体１１を、他方のアームレストＰに巻き回したうえで、前記一方のアームレストＰに更に巻き回して、前記指挿入部３０の表面側３０ａを前記結束具本体１１の表面側１１ａに重ね合わせて、前記面ファスナＭの雄部材Ｍ１と雌部材Ｍ２との係合によって、前記結束具１０を結束するのである。
【００３１】
以上のように、前記結束具１０を前記車椅子Ｋに結束した状態から解除するには、前記指挿入部３０に指を挿入して引っ張ると、前記指挿入部３０と前記結束具本体１１との係止が解除され、解束することができる。この解束作業は、指挿入部３０に指を挿入して引っ張るだけでよく、また、指を挿入する部分には予め識別色が配色されているので、身障者又は老人であっても、容易に行うことができる。また、前記結束具１０の一端を前記一方のアームレストＰから開放する場合においても、前記第一着脱片２１には予め識別色が配色されているので、身障者又は老人であっても、取り外し作業を容易に行うことができる。
【００３２】
なお、前記結束具１０は、前記車椅子Ｋの結束だけでなく、あらゆる用途に使用することができ、結束する対象物品、対象部分又は必要とされる強度等によって、そのサイズ（幅及び長さ及び厚さ）を適宜選択して製造するとよい。この場合にあっては、前記シート材のカットの大きさを変えるだけでよく、容易に、多数のサイズバリエーションを揃えることができるのである。
【００３３】
また、前記結束具１０における面ファスナＭの雄部材Ｍ１と雌部材Ｍ２とは、その配置を逆にしてもよい。さらに、前記結束具１０に使用する面ファスナＭは、雄部材Ｍ１と雌部材Ｍ２とが混成しているものを使用してもよい。さらに、前記面ファスナＭは、ゴム系素材から形成されるものを、その全体又は部分的に使用してもよい。この場合は、伸縮性を備えることとなり、より、結束力が増すこととなる。
【図面の簡単な説明】
【００３４】
【図１】本実施の形態に係る結束具を示す斜視図である。
【図２】（ａ）は結束具の裏面図であり、（ｂ）は同側面図、（ｃ）は同表面図である。
【図３】面ファスナの拡大断面図であり、（ａ）は面ファスナの雄部材であり、（ｂ）は面ファスナの雌部材である。
【図４】結束具の取付時の断面図である。
【図５】結束具の取付状態の断面図である。
【図６】結束具を車椅子のアームレストに係止した状態の斜視図である。
【符号の説明】
【００３５】
１０    結束具
１１    結束具本体
１１ａ  表面側
２０    環状保持部
２１    第一着脱片
２１ａ  表面側
２２    第二着脱片
２２ａ  表面側
３０    指挿入部
３０ａ  表面側
Ｐ      アームレスト（管状体）
Ｋ      車椅子
【図１】
0003122067.tif 000003
【図２】
0003122067.tif 000004
【図３】
0003122067.tif 000005
【図４】
0003122067.tif 000006
【図５】
0003122067.tif 000007
【図６】
0003122067.tif 000008